(57)【要約】  【課題】  災害時の避難や運送、梱包、その他における滑りにくく、安全に使用できる防滑ロープを提供するにある。  【解決手段】  ロープ３の周面に天然ゴムや合成ゴム等の滑り止め用の突起４を多数突設したものである。特に、複数本のストランド２を撚り合わせたロープ３の各ストランド２の外周面に天然ゴムや合成ゴムの弾力性のある突起４を一定の間隔で突設することが好ましい。【選択図】      図１
2006263115.tif 000002
【特許請求の範囲】
【請求項１】
ロープの周面に天然ゴムや合成ゴム等の滑り止め用の突起を多数突設したことを特徴と
する防滑ロープ。
【請求項２】
複数本のストランドを撚り合わせたロープの各ストランドの外周面に天然ゴムや合成ゴ
ム等の弾力性のある滑り止め用の突起を一定の間隔で突設した請求項１に記載の防滑ロー
プ。
【請求項３】
滑り止め用の突起が半球状である請求項１または２に記載の防滑ロープ。
【発明の詳細な説明】
【技術分野】
【０００１】
本発明は、災害時の避難や運送、梱包、その他における防滑ロープに関するものである
。
【背景技術】
【０００２】
ロープは、梱包用や牽引用、柵、避難用、その他に広く使用されている。その材料とし
て天然糸や合成糸を撚り合わせたり、編みあげたりして作られている。
【０００３】
近年、建物が高層化し、火災等が発生した場合に備えて各階に避難のためのロープを保
管したり、個人が避難用ロープを保持して脱出をはかるために対応している。
【０００４】
しかし、高層階からロープを垂らして、いざ降下しようとすると、ロープを握った手が
滑りやすかったり、ロープとの摩擦で手の皮がめくれ、ロープを握った手で自己の体重を
支えて降下速度をコントロールすることは容易でない。
【０００５】
そのため、特開２００１−１８７１６０号公報のようにロープに一定の間隔で足掛けチ
ューブを取り付けたり、特開２００２−８８６２５号公報のように組紐のまわりに太い紐
を螺旋状に連続的に巻き付けて滑り止めとすることが提案されている。
【０００６】
しかし、前者のものは足掛けチューブを取り付けるので、ロープを手で握ってすべるの
が難しいとともに、別途のロープとしての使用はできなくなる。
また、後者のものは、組紐の外周にさらに太い紐を巻き付けるので、コストが高くなる
とともに、防滑性がよくない。
【特許文献１】特開２００１−１８７１６０号公報
【特許文献２】特開２００２−８８６２５号公報
【発明の開示】
【発明が解決しようとする課題】
【０００７】
このように従来のロープでは、ロープを握った手を介して滑ることが難しかったり、コ
スト高となって実用的なものでなく、適宜な防滑性が得られて、安価な防滑ロープを作る
ことが課題であった。
【課題を解決するための手段】
【０００８】
本発明は、上記のような点に鑑みたもので、上記の課題を解決するために、ロープの周
面に天然ゴムや合成ゴム等の滑り止め用の突起を多数突設したことを特徴とする防滑ロー
プを提供するにある。
【０００９】
また、複数本のストランドを撚り合わせたロープの各ストランドの外周面に天然ゴムや
合成ゴム等の弾力性のある滑り止め用の突起を一定の間隔で突設した防滑ロープを提供す
るにある。
【００１０】
さらに、滑り止め用の突起が半球状である防滑ロープを提供するにある。
【発明の効果】
【００１１】
本発明は、ロープの周面に天然ゴムや合成ゴム等の滑り止め用の突起を多数突設したの
で、ロープを手で握ると多数突設した突起によって手が滑りにくく、摩擦作用が非常に大
きくなり、万一の火災時の事故時などに高所からこのロープを吊り下げてロープを手でコ
ントロールできる位に手が滑らずに握れて脱出することが容易となる。
また、梱包などにおいても、ロープを縛りつけるとロープが多数の突起の摩擦作用によ
ってほどけにくく、素人でも容易にロープをしっかりと縛りつけて梱包できる。
【００１２】
また、複数本のストランドを撚り合わせたロープの各ストランドの外周面に天然ゴムや
合成ゴム等の弾力性のある滑り止め用の突起を一定の間隔で突設したことによって、ロー
プの外観も美麗に処理できるとともに、弾力的な防滑効果がはかれてより一層の作用効果
を奏する。
【００１３】
さらに、滑り止め用の突起が半球状とすることによって、ロープに手を握りやすくでき
るとともに、滑りにくくでき、上記のような作用効果を奏する。
【発明を実施するための最良の形態】
【００１４】
本発明の防滑ロープは、ロープの周面に天然ゴムや合成ゴム等の滑り止め用の突起を多
数突設したことを特徴としている。
【００１５】
防滑ロープ１は、図１（ａ）、（ｂ）のように麻糸や木綿糸等の天然繊維、ナイロン、
ビニロン等の合成繊維糸を撚り合わせてストランド（子縄）２とし、このストランド２を
３本、４本等の適宜数量を撚り合わせてロープ３としている。必要により芯を入れること
もできる。
【００１６】
そして、このロープ３の外周面に、図１（ａ）、（ｂ）のように天然ゴムや合成ゴム、
樹脂材等の突起４を所定の間隔で多数突設し、滑り止めがはかれるようにしている。
【００１７】
この滑り止めの突起４は、上記したロープ３の外周面に格子状や千鳥状等の離散的に多
数突設できるが、ロープ径の１／５〜２倍位の間隔で突設することが好ましい。ロープ径
の１／５倍より狭いと突起４が余りにも詰まりすぎ、ロープ径の２倍よりも広いと防滑効
果が乏しくなる。好ましくはロープ径の１／３〜１倍位であるが、手のひらに突起４が５
〜１０ｍｍ位の間隔で当接できる位が防滑効果が大きくて好ましい。
【００１８】
また突起４は、図１（ａ）、（ｂ）のように各ストランド２の軸線にそってそれぞれの
外周中央部に２〜５ｍｍ径の半球面状にそれぞれ突設するのが防滑効果が最適であるとと
もに、美観を良好にできて好ましい。また、この突起４は、硬くてもよいが、硬度が５０
〜７０度位の軟質の弾性材であるのが手に握りやすく、滑りにくくできて好ましい。
【００１９】
このような防滑ロープ１は、図２のように従来のロープ製造装置５によって各ストラン
ド２を撚り合わせてロープ３を形成していって、図３のように形成したロープ３の所定位
置に突起成形装置６を配設してロープ３の外周面に上記したように突起４を溶着したりし
て突設することができる。
【００２０】
突起形成装置６としては、たとえば図３のようにロープ３を一定のピッチで旋回したり
して押し込み、引っ張り可能とした一対のロープ供給装置７、８の中間に配設し、自動的
にロープ３のストランド２を嵌合するようにストランド２にそって溝８を形成した左右ま
たは上下一対の型板１０、１１を開閉自在として配設し、この型板１０、１１に所定の間
隔で突起形成部１２を配設して、この突起形成部１２に所定の押出成型機から溶融した天
然ゴム、合成ゴムなどの突起材料１３を供給管１４等を介して供給し、ロープ３の外周面
に突起形成部１２を押圧操作して突起４を溶着して形成することができる。
【００２１】
突起形成部１２としては、図４、図５のように型板１０、１１を適宜のヒータ手段で加
熱自在としたりして、そのストランド２にそって開口した溝の頂部１５に細径のピストン
状の突起材料押出圧着部１６を垂直に対向して配設し、この先端の圧着部１７を所定の半
球形状の椀状等とし、その側部の突起材料供給孔１８から天然ゴム、合成ゴムなどの突起
材料１４を突起材料押圧圧着部１６の引っ込め、押し出し操作によって圧着部１７に供給
し、圧着部１７によってロープ３の外周面に押圧して圧着できるようにしている。
【００２２】
この突起形成部１２は、図４のようにロープ３の一側面や両側面に対向したり、図５の
ように各ストランド２の各側面に対向してそれぞれ配設し、型板１０、１１をエアーシリ
ンダーや電動シリンダー等の適宜な開閉装置を介して開閉して所定のピッチずつ旋回させ
てロープ３を突起形成装置６に送り込んで突起４を突設するなど適宜な実施態様で行うこ
とができる。１９、２０は、型板１０、１１の開閉摺動用ガイドおよびそのガイド棒であ
る。
【００２３】
上記突起形成装置６は、型板１０、１１を複数列平行に配設して、同時に複数本のロー
プ３に突起４を溶着させるなど適宜の実施態様とすることができる。
【００２４】
このようにして、たとえば合成樹脂ロープ３の各ストランド４の外周面に図１（ａ）、
（ｂ）のようにシリコンゴムやポリウレタンゴム等の合成ゴムの半球状の突起４をロープ
径の１／２の間隔の防滑ロープ１を形成できる。
【００２５】
そして、この避難用の防滑ロープ１を、たとえば高層階のビルディングの窓から吊り下
げ、ロープ３にそってロープ３を手で握ってすべらせるようにして降下すると、ロープ３
に突設した弾力性のある突起４によって握力が従来に対して５〜６倍となって、体力の少
ない女性であっても十分に体重の半分以上を支持でき、所望の降下速度で安全に降下する
ことができる。
【００２６】
また、梱包にあっても、梱包用とした防滑ロープ１をもって強く縛りつけられるととも
に、ほどけにくくでき、安定した荷造りができる。
【００２７】
なお、上記した防滑ロープ１は、数ｍｍ径から数ｃｍ径の用途に応じたものが適用可能
であり、またロープ３自体や突起４に蛍光塗料を付着したり、一体的に塗り込んだり、練
り込んだりして、暗い場所や夜間に発光するものとすることができる。
【図面の簡単な説明】
【００２８】
【図１】本発明の一実施例の防滑ロープの一部省略した側面図（ａ）と断面図（ｂ）、
【図２】同上のロープの一製造例、概略説明用図、
【図３】同上の突起形成用の概略説明図、
【図４】同上の突起形成装置の一部省略した側断面図、
【図５】同上の他の実施例の一部省略した側断面図。
【符号の説明】
【００２９】
１…防滑ロープ            ２…ストランド            ３…ロープ
４…突起                  ６…突起成形装置
【図１】
2006263115.tif 000003
【図２】
2006263115.tif 000004
【図３】
2006263115.tif 000005
【図４】
2006263115.tif 000006
【図５】
2006263115.tif 000007